(57)【特許請求の範囲】
【請求項１】
パック収容部を有する箱状の筐体と、
上記パック収容部に取り出し可能に装着され、上記筐体の外面の一部を構成したパック状機器と、を備え、
上記筐体は、上記パック収容部に設けられているとともに上記パック収容部からパック状機器を取り外した際に露出する内壁と、
上記内壁に開口した挿入口を有し、部品を取り外し自在に装着可能な部品収容部と、
金属板により形成され上記部品収容部の挿入口を閉塞した取り外し可能なカバーと、
筐体の内面に形成されているとともに上記カバーに導通したシールド層と、を備えていることを特徴とする携帯形電子機器。
【請求項２】
パック収容部を有する箱状の筐体と、
上記筐体に内蔵された回路基板と、
上記パック収容部に取り出し可能なパック状機器と、を備え、
上記筐体は、上記パック収容部に設けられているとともに上記パック収容部からパック状機器を取り外した際に露出する内壁と、
上記内壁に開口した挿入口を有し、部品を上記挿入口を介して上記回路基板に電気的に接続可能な部品収容部と、
金属板により形成され上記部品収容部の挿入口を閉塞した取り外し可能なカバーと、
筐体の内面に形成されているとともに上記カバーに導通したシールド層と、を備えていることを特徴とする携帯形電子機器。
【発明の詳細な説明】
【０００１】
【発明の属する技術分野】
本発明は、ブック形のポータブルコンピュータのような携帯形電子機器に係り、特に、筐体に、パック状機器を脱着自在に装着可能な携帯形電子機器に関する。
【０００２】
【従来の技術】
従来、文字やグラフィックス中心であったポータブルコンピュータの分野においても、動画や音声等も統合して利用する、いわゆるマルチメディアの機運が高まりつつある。このマルチメディアで取り扱う動画や音声は、文字情報に比べてデータ量が膨大なものとなるため、大容量の光ディスクを用いてデータを記録する必要がある。そのため、最近、光ディスクに記録されたデータを読み出すＣＤ−ＲＯＭ駆動装置を搭載したポータブルコンピュータが製品化されている。
【０００３】
また、ポータブルコンピュータでは、携帯性を高めるために筐体の小型・軽量化が押し進められている。例えば、近年では、Ａ４サイズブック形のポータブルコンピュータに加えて、更に小さいＢ５サイズのブック形ポータブルコンピュータが普及しつつある。
【０００４】
このような筐体の小型化、軽量化に伴い、筐体内部の実装スペースは益々狭くなる傾向にあり、一つの筐体の内部にＣＤ−ＲＯＭ駆動装置とフロッピーディスク装置とを同時に収容することはスペース的な面で困難となってくる。このことから、最近、ＣＤ−ＲＯＭ駆動装置とフロッピーディスク装置とを選択的に交換して筐体に装着し得るようにしたポータブルコンピュータが製品化されている。その他、ポータブルコンピュータの筐体には、脱着自在な電池パック、ディスプレイユニット、キーボード、種々のコネクタ、スロット等が設けられている。
【０００５】
また、この種のポータブルコンピュータにおいて、ＣＤ−ＲＯＭ駆動装置又はフロッピーディスク装置のいずれかを選択的に収容するためのパック収容部、および電池パックを収容する電池収容部は、筐体の側面および底面に開口して形成されている。そして、ＣＤ−ＲＯＭ駆動装置又はフロッピーディスク装置、および電池パックは、収容部に装着された状態において、それぞれ筐体の側面および底面の一部を形成している。
【０００６】
【発明が解決しようとする課題】
上記のように、ポータブルコンピュータにおいては、筐体の小型化に伴い、筐体の外面の大部分は、この筐体に取り付けられたパック状機器、電池パック、あるいは、コネクタやスロットを覆うカバー等によって構成され、筐体自身の外面の内、外部に直接する露出した面積は大幅に減少している。
【０００７】
そのため、別の機器やオプションパーツを装着するため他の収容部を、筐体の外面に開口した状態で追加することは困難に成りつつある。従って、筐体内部には残っているスペースを利用して別の機器やオプションパーツを装着するための収容部を形成することが困難となり、筐体のスペース効率向上を押し進める上で不具合を生じる。
【０００８】
この発明は、以上の点に鑑みなされたもので、その目的は、筐体のスペースを有効に利用して、一層の小型化および高機能化を図ることが可能な携帯形電子機器を提供することにある。
【０００９】
【課題を解決するための手段】
上記目的を達成するため、この発明に係る携帯形電子機器は、パック収容部を有する箱状の筐体と、上記パック収容部に取り出し可能に装着され、上記筐体の外面の一部を構成したパック状機器と、を備えている。
【００１０】
そして、上記筐体は、上記パック収容部に設けられているとともに上記パック収容部からパック状機器を取り外した際に露出する内壁と、上記内壁に開口した挿入口を有し、部品を取り外し自在に装着可能な部品収容部と、金属板により形成され上記部品収容部の挿入口を閉塞した取り外し可能なカバーと、筐体の内面に形成されているとともに上記カバーに導通したシールド層と、を備えていることを特徴としている。
【００１２】
上記構成の携帯形電子機器によれば、パック状機器を筐体のパック収容部から取り外すと、筐体の内壁が露出し、この内壁に形成された部品収容部の挿入口へのアクセスが可能となる。そして、挿入口を閉塞したカバーを取り外すことにより挿入口が開放し、部品収容部に対して部品の脱着を行うことができる。
【００１３】
上記構成によれば、筐体の外面に、部品収容部の挿入口を形成するためのスペースを確保する必要がなく、筐体および電子機器全体の小型化が可能となる。また、筐体内部のスペースを有効に利用して部品の装着が可能となり、携帯形電子機器の高機能化を図ることができる。
【００１４】
【発明の実施の形態】
以下、図面を参照しながら、この発明の実施の形態に係るポータブルコンピュータについて詳細に説明する。
図１および図２に示すように、Ｂ５サイズのブック形ポータブルコンピュータ１は、卓上に載置されるコンピュータ本体２と、コンピュータ本体２に回動自在に支持されたディスプレイユニット３とを備えている。
【００１５】
コンピュータ本体２は、合成樹脂製の筐体４を有している。この筐体４は、上方に向けて開放したロアハウジング５と、このロアハウジング５の開放端に取り外し可能に連結されたアッパハウジング６とで構成されている。
【００１６】
ロアハウジング５は、平坦な底壁５ａと、この底壁５ａに連なる左右の側壁５ｂ，５ｃ、後壁５ｄ、および前壁５ｅとを有している。これら側壁５ｂ，５ｃ、後壁５ｄ、および前壁５ｅは、底壁５ａの周縁部から上向きに延びている。
【００１７】
アッパハウジング６は、略平坦な上壁６ａを有する板状をなしている。上壁６ａは、ロアハウジング５の底壁５ａと向かい合っており、この上壁６ａの周縁部に沿って形成された側縁部がロアハウジング５の側壁、後壁、および前壁の上端に連なっている。これにより、筐体４は、全体として偏平な矩形箱状をなしている。
【００１８】
アッパハウジング６の上壁６ａの後半部には、多数のキー７を有する入力手段としてキーボード８が設けられている。このキーボード８は、上壁６ａとほぼ等しい幅を有する矩形状に形成されている。上壁６ａの前半部は平坦なアームレスト１０を構成し、このアームレストの中央部には、コマンドの実行および取消を行うクリックスイッチ１０ａ、１０ｂが設けられている。
【００１９】
また、ディスプレイユニット３は、上壁６ａの後端にヒンジ部１６を介して回動自在に取り付けられている。ディスプレイユニット３は、コンピュータ本体２の平面寸法とほぼ等しい寸法を有する偏平な矩形状に形成され、図１に示すように、キーボード８を露出して入力操作およびディスクレイの視認を可能とする開放位置と、図２に示すように、キーボード８を覆う閉塞位置との間を回動自在となっている。閉塞位置において、ディスプレイユニット３はコンピュータ本体２と共同してブック形状をなす。
【００２０】
ロアハウジング５の右側壁５ｃの後端部には、この筐体内に形成された図示しないモデム収容部のモデム挿入口を開閉するモデムカバー１２が取り付けられている。また、筐体４の後壁には、ＲＧＢコネクタ、ＲＳ−２３２Ｃコネクタ、拡張コネクタ等の図示しない多数のコネクタが設けられている。そして、これらのコネクタは、筐体４の後壁に回動自在に取り付けられたコネクタカバー１４によって覆われている。
【００２１】
図１ないし図４に示すように、ロアハウジング５には、バッテリ収容部１６およびパック収容部１８が形成されている。バッテリ収容部１６は、ロアハウジング５の左端部において、底壁５ａおよび左側壁５ｂに開口した矩形状の凹所によって構成されている。
【００２２】
そして、バッテリ収容部１６には、コンピュータ１を商用電源が得られない場所で使用する際に、その駆動用電源となるバッテリパック２０が取り外し可能に装着されている。バッテリパック２０は、合成樹脂製のバッテリケース２２と、このバッテリケースに収容された図示しない複数の電池とを備えている。
【００２３】
バッテリケース２２は、バッテリ収容部１６とほぼ同一の大きさを有し、バッテリ収容部１６に装着された状態において、バッテリケースの底面および側面は、ロアハウジング５の底壁５ａの一部および左側壁５ｂの一部を構成している。
【００２４】
パック収容部１８は、ロアハウジング５の右端部において、底壁５ａおよび右側壁５ｃに開口した矩形状の凹所２４によって構成されている。凹所２４は、ロアハウジング５の内壁によって規定されている。すなわち、この内壁は、ロアハウジング５の側壁５ｃから底壁５ａと平行に延出した矩形状の底板２４ａと、底板２４ａの側縁の内、筐体４の幅方向に延びる２側縁から直角に起立し底壁５ａに連続した一対の側板２４ｂ、２４ｃと、ロアハウジングの側壁５ｃと対向する底板２４ａの側縁から直角に起立し底壁５ａに連続した後板２４ｄと、を有している。
【００２５】
そして、これらの底板２４ａ、左右側板２４ｂ、２４ｃ、および後板２４ｄは、それぞれパック収容部１８の底壁、左右側壁、後壁を構成している。従って、パック収容部１８は、全体としてロアハウジング５の下面および右側面に向けて開放した箱形状をなしている。
【００２６】
後板２４ｄには、筐体４の奥行き方向に延びる細長い矩形状の開口３０が形成され、この開口３０の内部には、中継コネクタ３２が配設されロアハウジング５の側壁５ｃ側に向いている。中継コネクタ３２は、ロアハウジング５内に設けられた図示しないプリント回路基板に接続されている。
【００２７】
また、互いに対向する側板２４ｂ、２４ｃの各々には、筐体４の幅方向に間隔を置いて複数、例えば、３つの係合突起３４が形成されている。更に、側板２４ｃには、後述するパック状機器に設けられた保持爪が係合する係合凹所３５が形成されている。
【００２８】
更に、パック収容部１８内において、底板２４ａの側板２４ｃ側の前端部には導通爪１９が突設されている。この導通爪１９は、筐体４内のアースに導通している。
【００２９】
図１ないし図３に示すように、パック収容部１８には、パック状機器としてのＣＤ−ＲＯＭ駆動装置３６又はフロッピーディスク駆動装置３８のいずれか一方を選択的に取り外し可能に装着可能となっている。これらＣＤ−ＲＯＭ駆動装置３６およびフロッピーディスク駆動装置３８は、夫々独自の機能を有する一つのモジュールとしてパッケージ化されて、パック収容部１８内へ装着可能な、互いに同じサイズを有している。
【００３０】
図３および図５に示すように、ＣＤ−ＲＯＭ駆動装置３６は、光ディスクを収容するトレー４０と、このトレー４０を引き出し可能に保持した金属製のキャビネット４１とを備えている。キャビネット４１は、偏平な箱状をなしており、このキャビネット４１のトレー４０とは反対側の端部には、インターフェースコネクタ４２が配置されている。
【００３１】
また、ＣＤ−ＲＯＭ駆動装置３６は、キャビネット４１の下面および両側面を覆った合成樹脂製のカバー４３を有し、全体として、ほぼ偏平な矩形状をなしている。カバー４３の両側壁の各々には、それぞれパック収容部１８の係合突起３４と係合可能な３つの係合爪４４が形成されている。各係合爪４４はＬ字形状をなしている。
【００３２】
カバー４３の底壁４３ａには、その一側縁から突没可能な係止爪４６が設けられ、図示しないばねにより側縁から突出する方向に付勢されている。そして、この係止爪４６は、ＣＤ−ＲＯＭ駆動装置３６をパック収容部１８に装着した際、パック収容部１８の側板２４ｃに形成された係合凹所３５に係合しＣＤ−ＲＯＭ駆動装置３６をパック収容部１８内に保持する。
【００３３】
また、カバー４３の底壁４３ａには、係止爪４６を突出状態にロックするためのロックレバー４７が摺動自在に取り付けられている。更に、カバー４３の底壁４３ａ後端から板状の位置決め突起４８が突出している。この位置決め突起４８は、パック収容部１８の後板２４ｄに形成された開口３０内へ係合可能に形成されている。
【００３４】
このようなＣＤ−ＲＯＭ駆動装置３６は、ロアハウジング５のパック収容部１８にその開口を通して装填した後、筐体４の幅方向に沿って左側壁５ｂに向かって押し込まれる。それにより、カバー４３に形成された各係合爪４４がパック収容部１８の対応する係合突起３４に係合するとともに、係止爪４６が係合凹所３５に係合する。同時に、インターフェースコネクタ４２が筐体４側の中継コネクタ３２に係合する。
【００３５】
それにより、ＣＤ−ＲＯＭ駆動装置３６は、パック収容部１８内に装填された状態に固定保持されるとともに、コンピュータ本体２と電気的に接続される。装着状態において、ＣＤ−ＲＯＭ駆動装置３６の底面は、ロアハウジング５の底壁５ａと面一となり、底壁５ａの一部を構成する。また、トレー４０の前面は、ロアハウジング５の側壁５ｃと面一に連続し、側壁５ｃの一部を構成する。
【００３６】
また、パック収容部１８にＣＤ−ＲＯＭ駆動装置３６を装着した状態において、金属製のキャビネット４１がパック収容部１８内に突出した導通爪１９に接触する。それにより、ＣＤ−ＲＯＭ駆動装置３６は、キャビネット５１、導通爪１９を介して筐体４側のアームに導通する。
【００３７】
一方、図３および図６に示すように、フロッピーディスク駆動装置３８は、前面にフロッピーディスク挿入口５０を有する偏平な箱状の装置本体５１と、この装置本体５１を覆った合成樹脂製のアウタカバー５２とを備えている。アウタカバー５２は、ＣＤ−ＲＯＭ駆動装置３６と略同様の形状およびサイズを有している。フロッピーディスク挿入口５０とは反対側の端部において、アウタカバー５２にはインターフェースコネクタ５４が配置され、装置本体５１に接続されている。
【００３８】
アウタカバー５２の両側壁の各々には、それぞれパック収容部１８の係合突起３４と係合可能な３つの係合爪５５が形成され、各係合爪５５はＬ字形状をなしている。アウタカバー５２の底壁５２ａには、その一側縁から突没可能な係止爪５６が設けられ、図示しないばねにより側縁から突出する方向に付勢されている。そして、この係止爪５６は、フロッピーディスク駆動装置３８をパック収容部１８に装着した際、パック収容部１８の側板２４ｃに形成された係合凹所３５に係合しフロッピーディスク駆動装置３８をパック収容部１８内に保持する。
【００３９】
また、アウタカバー５２の底壁５２ａには、係止爪５６を突出状態にロックするためのロックレバー５７が摺動自在に取り付けられている。更に、アウタカバー５２の上壁５２ｂの前端部には、金属からなる矩形状の導通板５８が固定され、内部の装置本体５１に導通している。
【００４０】
このようなフロッピーディスク駆動装置３８は、ロアハウジング５のパック収容部１８にその開口を通して装填した後、筐体４の幅方向に沿って左側壁５ｂ側へ押し込まれる。それにより、アウタカバー５２に形成された各係合爪５５がパック収容部１８の対応する係合突起３４に係合するとともに、係止爪５６が係合凹所３５に係合する。同時に、インターフェースコネクタ５４が筐体４側の中継コネクタ３２に係合する。
【００４１】
それにより、フロッピーディスク駆動装置３８は、パック収容部１８内に装填された状態に固定保持されるとともに、コンピュータ本体２と電気的に接続される。装着状態において、フロッピーディスク駆動装置３８の底面は、ロアハウジング５の底壁５ａと面一となり、底壁５ａの一部を構成する。また、アウタカバー５２の前面は、ロアハウジング５の側壁５ｃと面一に連続し、側壁５ｃの一部を構成する。
【００４２】
また、パック収容部１８にフロッピーディスク駆動装置３８を装着した状態において、アウタカバー５２に固定された導電板５８がパック収容部１８内に突出した導通爪１９に接触する。それにより、フロッピディスク装置３８は、導電板５８、導通爪１９を介して筐体４側のアームに導通する。
【００４３】
図３、図７、および図８に示すように、筐体４は、オプション部品としての拡張メモリ基板６０を装着するためのオプション部品収容部６２を備えている。このオプション部品収容部６２は、パック収容部１８の底板２４ａに開口した矩形状の挿入口６４を有している。
【００４４】
筐体４内には、パック収容部１８の底板２４ａに対向してプリント回路基板６６が配設され、オプション部品収容部６２は、このプリント回路基板６６と底板２４ａとの間に形成された偏平な矩形状をなしている。オプション部品収容部６２内には、プリント回路基板６６上に固定されたソケット６７と、ソケットの両端側に位置した一対のフック６８と、が配設されている。また、プリント回路基板６６の表面には、挿入口６４に対向して絶縁シート６９が敷設され、オプション部品収容部６２の底面を構成している。
【００４５】
パック収容部１８の底板２４ａは、挿入口６４の対向する２側縁から挿入口６４内に突出したリブ７０を有し、各リブ７０には、金属からなる導電片７１が取り付けられている。これらの導電片７１は、ロアハウジング５の内面に形成されたシールド層７２を介して筐体４のアースに導通している。
【００４６】
そして、オプション部品収容部６２の挿入口６４は、パック収容部１８の底板２４ａにねじ止めされた取り外し可能なカバー７４によって閉塞されている。カバー７４は挿入口６４の寸法に対応した寸法を有し、矩形状の金属板によって形成されている。挿入口６４を閉じた状態において、カバー７４はパック収容部１８の底面と面一に連続し、底面の一部を構成する。同時に、カバー７４は、導電片７１を介して筐体４のアースに導通し、シールド板として機能する。
【００４７】
また、拡張メモリ基板６０は、矩形状のプリント回路基板７６と、このプリント回路基板の各面に４つづつ実装されたメモリチップ７７と、を備えている。プリント回路基板７６の一側縁には、メモリチップ７７に導通した多数の接続端子７８が形成されている。
【００４８】
以上のように構成されたポータブルコンピュータ１において、オプション部品収容部６２に拡張メモリ基板６０を装着する場合には、まず、筐体４のパック収容部１８に装着されているＣＤ−ＲＯＭ駆動装置３６あるいはフロッピーディスク駆動装置３８を筐体４から取り外す。
【００４９】
この際、例えば、ＣＤ−ＲＯＭ駆動装置３６が装着されている場合には、まず、ポータブルコンピュータの電源を落とした後、係止爪４６をスライドさせてパック収容部１８の係合凹所３５から係脱し、その状態で、ＣＤ−ＲＯＭ駆動装置３６全体をロアハウジング５の側壁５ｃ方向へスライドさせる。それにより、ＣＤ−ＲＯＭ駆動装置３６の各係合爪４４がパック収容部１８の係合突起３４から係脱するとともに、インターフェースコネクタ４２と中継コネクタ３２との係合が解除される。そして、その後、ＣＤ−ＲＯＭ駆動装置３６をロアハウジング５の底壁５ａと直角な方向へ引き上げることにより、パック収容部１８から取り外すことができる。
【００５０】
続いて、カバー７４をパック収容部１８から取り外してオプション部品収容部６２の挿入口６４を開放する。この状態で、拡張メモリ基板６０の接続端子７８側の側縁部をオプション部品収容部６２内のソケット６７に接続し、一対のフック６８をプリント回路基板７８の両側縁に引っ掛けて拡張メモリ基板６０を保持する。これにより、拡張メモリ基板６０はオプション部品収容部６２内に収容され、ソケット６７を介してプリント回路基板６６に接続される。
【００５１】
その後、オプション部品収容部６２の挿入口６４をカバー７４によって閉じた後、パック収容部１８にＣＤ−ＲＯＭ駆動装置３６又はフロッピーディスク駆動装置３８を装着することにより、拡張メモリ基板６０の装着が終了する。
【００５２】
以上のように構成されたポータブルコンピュータによれば、オプション部品を装着するオプション部品収容部６２の挿入口６４は、パック状機器を取り外した際に露出するパック収容部１８の底板２４ａに開口して設けられている。そのため、挿入口６４を形成するためのスペースを、筐体４自身の外面に新たに確保する必要がなく、筐体４およびコンピュータ１全体の小型化を図ることができる。同時に、筐体４内部のスペースを有効に利用し、実装密度の向上を図ることが可能となる。
【００５３】
また、オプション部品収容部６２の挿入口６４は、カバー７４によって閉塞され、更に、パック収容部１８に装着されたパック状機器によって覆われることから、オプション部品収容部６２の不用意な開放を防止し、オプション部品の損傷防止、および筐体４内への異物の侵入防止を図ることができる。
【００５４】
更に、オプション部品収容部６２の挿入口６４を閉塞したカバー７４は、金属板で形成されていることから、合成樹脂等のカバーを用いる場合に比較して、薄く形成することができる。これにより、スペース利用効率の一層の向上を図ることができる。更に、カバー７４を筐体４内のアースに導通させることにより、カバー７４をシールド板として利用することができ、オプション部品収容部６２に装着されたオプション部品の保護および誤動作の防止を図ることができる。
【００５５】
図９および図１０は、この発明の他の実施の形態に係るポータブルコンピュータの要部を示している。本実施の形態によれば、オプション部品収容部６２の挿入口６４を閉塞するカバー７４を省略し、代わって、パック収容部１８に装着されるパック状機器を利用して挿入口６４を閉塞している。
【００５６】
すなわち、フロッピーディスク駆動装置３８のアウタカバー５２の上壁５２ｂには、挿入口６４に対応した寸法を有する矩形状のシールド板８０が固定され、装置本体に導通している。そして、フロッピーディスク駆動装置３８をパック収容部１８に装着すると、シールド板８０は挿入口６４を閉塞するとともに、導通片７１を介して筐体４のアースと導通する。
【００５７】
上記構成によれば、シールド板８０は、挿入口６４のカバーを兼ねることができるとともに、オプション部品収容部６２をシールドすることができる。同時に、フロッピーディスク駆動装置３８は、シールド板８０を介して筐体４のアースに導通することができる。
【００５８】
なお、パック状機器として、ＣＤ−ＲＯＭ駆動装置３６を装着する場合、オプション部品収容部６２に挿入口６４と対向するＣＤ−ＲＯＭ駆動装置３６のキャビネット４１は金属で形成されていることから、このキャビネット自体をカバーおよびシールド板として用いることができる。
【００５９】
従って、本実施の形態においても、前述した実施の形態と同様の作用効果を得ることができるとともに、パック収容部１８に対するパック状機器の脱着操作に応じてオプション部品収容部６２の挿入口６４を開閉することができ、操作性の向上を図ることができる。
【００６０】
なお、この発明は上述した実施の形態に限定されることなく、この発明の範囲内で種々変形可能である。例えば、パック状機器は、上述したＣＤ−ＲＯＭ駆動装置、フロッピーディスク駆動装置に限定されることなく、ハードディスク駆動装置、バッテリパック等の他の機器を用いてもよい。
【００６１】
また、オプション部品収容部は、その挿入口がバッテリ収容部１６の底壁に開口するように構成されていてもよい。更に、オプション部品は、拡張メモリ基板に限らず、サブバッテリ、メモリカード、交換用ＣＰＵ等の他の部品を用いてもよい。
【００６２】
【発明の効果】
以上詳述したように、この発明によれば、筐体のスペースを有効に利用し、一層の小型化および高機能化を図ることが可能な携帯形電子機器を提供することができる。
【図面の簡単な説明】
【図１】本発明の実施の形態におけるポータブルコンピュータの斜視図。
【図２】上記ポータブルコンピュータを底側から見た斜視図。
【図３】パック状機器を取り外した状態における、上記ポータブルコンピュータの底面側、およびパック状機器を示す斜視図。
【図４】パック状機器を取り外した状態における、上記ポータブルコンピュータの底面側を示す斜視図。
【図５】ＣＤ−ＲＯＭ駆動装置の上面側を示す斜視図。
【図６】フロッピーディスク駆動装置の上面側を示す斜視図。
【図７】上記ポータブルコンピュータのオプション部品収容部を開放した状態を示す分解斜視図。
【図８】上記ポータブルコンピュータのオプション部品収容部の断面図。
【図９】この発明の他の実施の形態に係るポータブルコンピュータのオプション部品収容部およびフロッピーディスク駆動装置を示す断面図。
【図１０】上記他の実施の形態に係るポータブルコンピュータの要部およびフロッピーディスク駆動装置を示す斜視図。
【符号の説明】
３…ディスプレイユニット
４…筐体
５…ロアハウジング
５ａ…底壁
５ｂ、５ｃ…側壁
１６…バッテリ収容部
１８…パック収容部
２０…バッテリパック
２４…凹所
２４ａ…底板
３６…ＣＤ−ＲＯＭ駆動装置
３８…フロッピーディスク駆動装置
６０…拡張メモリ基板
６２…オプション部品収容部
６４…挿入口
６７…ソケット
６８…フック
７４…カバー
８０…シールド板
【図１】
0003725636.tif 000002
【図２】
0003725636.tif 000003
【図３】
0003725636.tif 000004
【図４】
0003725636.tif 000005
【図５】
0003725636.tif 000006
【図６】
0003725636.tif 000007
【図７】
0003725636.tif 000008
【図８】
0003725636.tif 000009
【図９】
0003725636.tif 000010
【図１０】
0003725636.tif 000011